(57)【要約】【課題】  分割表示時に位置情報入力を制限する。【解決手段】  入力される画像信号によって形成し得る画像の一部に対応する第１の画像を、前記表示画面の第１の領域と第２の領域に表示する構成において、前記位置情報出力回路は、前記表示画面上の前記第１の領域内を指示された場合には該指示された位置の情報を出力し、前記第２の領域内を指示された場合には該指示された位置の情報を出力しない。【選択図】  図６
2005208992.tif 000002
【特許請求の範囲】
【請求項１】
表示画面と、
該表示画面上で指示された位置の情報を出力するための位置情報出力回路と、
入力される画像信号によって形成し得る画像の一部に対応する第１の画像を、前記表示画面の第１の領域と第２の領域に表示するための表示信号を出力する出力回路と、
を有しており、
前記位置情報出力回路は、前記表示画面上の前記第１の領域内を指示された場合には該指示された位置の情報を出力し、前記第２の領域内を指示された場合には該指示された位置の情報を出力しないことを特徴とする位置情報出力装置。
【請求項２】
前記第２の領域内を指示された場合には該指示された位置と１対１に対応しない信号を出力することを特徴とする請求項１記載の位置情報出力装置。
【請求項３】
表示画面、該表示画面上で指示された位置の情報を出力するための位置情報出力回路、及び、入力される画像信号によって形成し得る画像の一部に対応する第１の画像を、前記表示画面の第１の領域と第２の領域に表示するための表示信号を出力する出力回路、を有する位置情報出力装置が出力する位置情報に応じた信号処理を行う信号処理方法であって、
前記位置情報出力回路が出力する位置情報が、前記表示画面上の前記第１の領域内が指示されたことを示す情報である場合に該位置情報に応じた所定の信号処理を行い、
前記位置情報出力回路が出力する位置情報が、前記表示画面上の前記第２の領域内が指示されたことを示す情報である場合に該位置情報に応じた前記所定の信号処理を行わないことを特徴とする信号処理方法。
【請求項４】
前記位置情報出力回路が出力する位置情報が、前記表示画面上の前記第２の領域内が指示されたことを示す情報である場合に、警告を発生するための信号を発生することを特徴とする請求項３に記載の信号処理方法。
【発明の詳細な説明】
【技術分野】
【０００１】
本発明は、タッチパネルやペンなどを用いた位置情報出力装置に関するものである。
【背景技術】
【０００２】
現在、大型フラットディスプレイなどの表示装置は液晶方式、プラズマ方式など各種方式が実用化され、家庭でのＴＶへの利用以外にも応用範囲も広がりオフィスでのプレゼンテーションにも適用され始めている。
【０００３】
一方、オフィス内での複数人による打ち合わせ業務やコラボレーションシステムに表示装置を応用しようとすると編集作業が不可欠となり、表示画面上の位置を指定するためのタッチパネルやペンなどの位置検出手段と組み合わせる必要がある。
【０００４】
単一の表示装置を用いて操作者と対面する位置にある人物が同時に表示内容を確認できるように、画面を分割して同一内容を対面して表示できる表示装置があれば更に利便性が増すと想像される。
【０００５】
このような分割対面可能な表示装置は特許文献１に開示されている。また、分割表示した表示装置にペンで位置指定可能な表示システムが特許文献２に開示されている。
【特許文献１】特開平０５−１９７５０７号公報
【特許文献２】特開２００１−１７５３７６号公報
【発明の開示】
【発明が解決しようとする課題】
【０００６】
対面する位置関係に座っている営業員とお客が水平に置かれた表示装置及び表示装置に取り付けられたタッチパネルを挟んで座っている場面（図２）を想定してみる。この図２において、１は営業員、２はお客、両者の間にあるテーブル状のものは水平に置かれた表示装置２２とタッチパネル２４が合体した物とする。
【０００７】
この場面で営業員１は見積書を作成しているが、分割対面表示することによりそれと同じ見積書が分割対面表示されお客２も同一の見積書を同時に見ることができる。
【０００８】
ここで、営業員１のみが見積書の内容を変更するためにタッチパネルから入力が可能であり、お客２は見積書を見るだけで書き換えが行えないようにお客２側の表示画面に対してタッチパネルからの入力は無効になっている状態が望まれる。ところが従来このような処理を行う表示システムは存在しなかった。ここでは営業員１とお客２が対面する状況を例に取り、同じ２つの画面を表示方向１８０度異ならせて表示する場合を説明したが、表示方向を１８０度以外の角度で異ならせる場合や表示方向を同じにした場合であっても同様の問題が生じる。
【０００９】
本発明の目的は、意図しない位置情報入力が抑制できる位置情報出力装置及び演算方法を提供することにある。
【課題を解決するための手段】
【００１０】
本願にかかわる発明のひとつは、以下のように構成される。すなわち、
表示画面と、該表示画面上で指示された位置の情報を出力するための位置情報出力回路と、入力される画像信号によって形成し得る画像の一部に対応する第１の画像を、前記表示画面の第１の領域と第２の領域に表示するための表示信号を出力する出力回路と、
を有しており、前記位置情報出力回路は、前記表示画面上の前記第１の領域内を指示された場合には該指示された位置の情報を出力し、前記第２の領域内を指示された場合には該指示された位置の情報を出力しないことを特徴とする位置情報出力装置である。
【００１１】
ここで、前記第２の領域内を指示された場合には、該指示された位置と１対１に対応しない信号を出力する構成を好適に採用できる。この位置情報出力回路の出力を利用する信号処理回路において、指示された位置と１対１に対応しない前記信号を受けて、それに応じて警告を発生するための信号を出力する構成を好適に採用できる。
【００１２】
また本願にかかわる他の発明のひとつは、以下のように構成される。すなわち、
表示画面、該表示画面上で指示された位置の情報を出力するための位置情報出力回路、及び、入力される画像信号によって形成し得る画像の一部に対応する第１の画像を、前記表示画面の第１の領域と第２の領域に表示するための表示信号を出力する出力回路、を有する位置情報出力装置が出力する位置情報に応じた信号処理を行う信号処理方法であって、  前記位置情報出力回路が出力する位置情報が、前記表示画面上の前記第１の領域内が指示されたことを示す情報である場合に該位置情報に応じた所定の信号処理を行い、前記位置情報出力回路が出力する位置情報が、前記表示画面上の前記第２の領域内が指示されたことを示す情報である場合に該位置情報に応じた前記所定の信号処理を行わないことを特徴とする信号処理方法である。
【００１３】
特にこの発明において、前記位置情報出力回路が出力する位置情報が、前記表示画面上の前記第２の領域内が指示されたことを示す情報である場合に、警告を発生するための信号を発生する構成を好適に採用できる。
【発明の効果】
【００１４】
本発明では、不用意な入力を防げることができる。
【発明を実施するための最良の形態】
【００１５】
以下に図面を参照して、この発明の最良な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。また同じ画面を複数の領域に表示する際の表示方向として、以下では対面表示を特に好適な例として例示しているが、これに限るものではなく、同一方向での表示を含めて種々の方向に設定できる。ただし、複数の同じ画面を異なる表示方向で表示する場合に特に好適に本願発明は適用できる。
【００１６】
（第１の実施の形態）
図１〜図６を参照して、第１の実施の形態について説明する。図１に第１の実施の形態に係る表示システムの構成図を示す。
【００１７】
図１において、１１は各ブロックが接続されるバスである。１２はシステム全体を制御するシステム制御部であり、ＣＰＵやメモリを含む。１３は音発生部であり、システム制御部１２の指示により警告音を発する。
【００１８】
１５はキーボード、１６はマウスである。１７は表示モードを設定するスイッチであり、全体表示と分割対面表示をユーザーが切り替える。これらの入力装置に対して入力装置処理部１４が各入力装置からの情報をバス１１を介してシステム制御部１２に伝える。現在設定されている表示モードをシステム制御部１２は知っていて、分割対面処理部２１とタッチパネル制御部２３に表示モードを設定する。
【００１９】
２０は表示発生部であり、システム制御部１２の指示に応じて表示すべき内容を発生させる。２１は出力回路に相当する分割対面処理部であり、この役割については後述する。２２は表示装置であり、表示データを表示する。２３はタッチパネル制御部であり、タッチパネル２４からの位置情報をバス１１を介してシステム制御部１２に伝える。２４はタッチパネルであり、ユーザーが指示した位置を位置情報として検出する。タッチパネル２４とタッチパネル制御部２３が位置情報出力装置に相当している。
【００２０】
たとえば、対面する位置関係に座っている営業員とお客が水平に置かれた表示装置及び表示装置に取り付けられたタッチパネルを挟んで座っている場面（図２）を想定してみる。この図２において、１は営業員、２はお客、両者の間にあるテーブル状のものは水平に置かれた表示装置２２とタッチパネル２４が合体した物とする。
【００２１】
表示発生部２０はシステム制御部１２からの指示で図３のような内容を発生させたとする。ここでは左半分に［Ａ］画面３１が、右半分に［Ｂ］画面３２が発生されているとする。この内容は表示発生部２０の出力である信号線２７を介して分割対面処理部２１に伝えられる。
【００２２】
分割対面処理部２１はシステム制御部１２から表示モードを設定され、全画面表示モードが認識されている時は表示発生部２０からの表示データをそのまま信号線２８に流す。分割対面表示モードが認識されている時はちょうど左右に半分ずつの分割表示となり、表示発生部２０からの表示データの左半分である［Ａ］画面３１をそのまま左半分の表示データとすると同時に、［Ａ］画面３１を１８０度回転して右半分の表示データとする。この処理によって、表示発生部２０から入力される画像信号によって形成し得る画像（図３）の一部に対応する第１の画像（図３の左半分に相当）を第１の領域である画面左側の表示領域と第２の領域である画面右側の表示領域に同時に表示するための表示信号を出力することができる。
【００２３】
分割対面処理部２１からの信号線２８の出力信号の様子を図４に示す。ここで左半分に［Ａ］画面がそのまま第一領域３５とし、右半分に［Ａ］画面を１８０度回転した第二領域３６が合成され、表示装置２２で表示される。
【００２４】
タッチパネル２４は表示装置２２の表示エリアに入力座標位置が対応しており、表示した上に触れるとその点の座標位置を出力する。図５に示すように左上の座標を（０，０）、右下の座標を（Ｘｍａｘ，Ｙｍａｘ）とＸＹ座標系で表す。ユーザーがタッチパネル２４上を触った際の位置情報はタッチパネル制御部２３に伝えられる。
【００２５】
このときの処理方法を図６のフローチャートで説明する。タッチパネル制御部２３は表示モードを知っていて、分割対面表示モードかどうか判別し（Ｓ８１）、ｙｅｓならＳ８２へ進み、ｎｏならＳ８４へ進む。
【００２６】
Ｓ８２ではタッチパネルからの入力が第一領域にあるか第二領域にあるか判別する（Ｓ８２）。具体的には入力したＸ座標がＸｍａｘ／２より大きいかどうかで判別する。大きい場合は第二領域と判別しＳ８３へ進み、小さい場合は第一領域と判別しＳ８４へ進む。
【００２７】
Ｓ８３では入力したＸ方向・Ｙ方向の値とも“０”をバス１１に出力する（Ｓ８３）。
【００２８】
Ｓ８４では入力したＸ方向の値は入力値Ｘ、Ｙ方向の値は入力値Ｙをバス１１に出力する（Ｓ８４）。
【００２９】
これをまとめると
タッチパネル入力座標（Ｘ，Ｙ）に対して、タッチパネル制御部２３からの出力座標（Ｘ’，Ｙ’）は、以下に示すようになる。
【００３０】
１）分割対面表示モードの場合は、
ａ）０≦Ｘ≦Ｘｍａｘ／２の時（左半分）、
Ｘ’＝Ｘ、
Ｙ’＝Ｙ、
となり、
ｂ）Ｘｍａｘ／２＜Ｘ≦Ｘｍａｘの時（右半分）、
Ｘ’＝０
Ｙ’＝０
となる。
【００３１】
２）全画面表示の場合は、
Ｘ’＝Ｘ、
Ｙ’＝Ｙ、
となる。
【００３２】
以上により、第二領域３６内を指示された時には該指示された位置と１対１に対応する情報を出力しないようにすることができる。これによって第２領域が指示された場合に、入力情報出力装置からの情報によって信号処理を行う回路において、該指示に応じた信号処理がなされないようにすることができる。なお第１領域が指示された場合には、該指示位置の座標情報に従って、該指示位置に対応する位置にポインタ記号（矢印状のものなど）を表示するためなどの所定の信号処理を行なうことができる。
【００３３】
なお、上記形態では分割対面表示モード時にタッチパネル制御部２３でタッチパネルから入力されたＸ座標の大きさを判別して座標情報を位置情報出力装置から出力させるかさせないかを決める処理をしていた。しかし、指示された位置が第一領域であるか第二領域であるかによらずに座標情報を位置情報出力装置から出力し、該位置情報出力装置からの座標情報に基づいて信号処理を行うシステム制御部１２や他の回路において座標情報に基づく所定の信号処理を行う際に、該信号処理を行う回路において位置情報出力装置からの座標情報が第二領域内の位置を示すものであることを認識して、その場合には該座標情報に応じた所定の信号処理を禁止する構成も採用することができる。この構成によっても、第一領域がタッチされた場合には該タッチされた位置にポインタ記号が表示されるが、第二領域がタッチされた場合には該タッチされた位置にポインタ記号が表示されないようにするなどの処理を行うことができる。
【００３４】
また、上記形態では左側の［Ａ］画面を第一領域として［Ｂ］画面の領域の座標からの位置情報を無効とした。しかし、逆に右側の［Ｂ］画面を第一領域として［Ｂ］画面を対面表示させ［Ａ］画面の領域の座標からの位置情報を無効とするような処理としても良い。
【００３５】
さらに、上記形態では位置情報出力装置がタッチパネルを有する構成を採用したが、マウスやペンのようなポインティングデバイスでも同様な処理を行うことで、同じ効果を得ることができる。すなわち、画面上の位置を指示するための構成としては、画面に指やペン形状を有するものなどの指示部材を接触もしくは近接させる構成以外のものも用いうる。ただし、画面に指やペン形状を有するものなどの指示部材を接触もしくは近接させる構成のものを用いるのが好ましい。
【００３６】
（第２の実施の形態）
図７には、第２の実施の形態が示されている。システム構成などについては第１の実施の形態と同一なので、同一の構成部分については同一の符号を付して、その説明は省略する。
【００３７】
第２の実施の形態の処理を図７に示す。Ｓ８３までの処理は第１の実施の形態と同じなので略す。
【００３８】
Ｓ８３では入力したＸ方向・Ｙ方向の値とも位置情報は無効という意味で“０”をバス１１に出力する（Ｓ８３）。これはすなわち、該指示された位置と１対１に対応しない信号として位置情報が無効であることを示す位置情報無効信号を出力することである。そして、Ｓ８３からＳ８６へ進み、システム制御部１２がこの位置情報無効信号に基づいて警告を発生するための信号を発生させ、該警告を発生するための信号に基づいて、音発生部１３から一定期間警告音を発する（Ｓ８６）。
【００３９】
以上により、第二領域３６内を指示された時には該指示された位置の情報を出力しないと同時に警告音を発するので、位置情報を受け付けない第二領域３６から入力された位置情報は無効だということをユーザーに知らしめることができる。なお警告発生の手法としては警告音だけでなく、警告表示など種々の手法をとりうる。
【図面の簡単な説明】
【００４０】
【図１】第１の実施の形態に係る表示システムの構成図である。
【図２】第１の実施の形態に係る表示システムを使用している図である。
【図３】第１の実施の形態に係る表示システムの表示発生部からの画面例である。
【図４】第１の実施の形態に係る表示システムの画面例である。
【図５】第１の実施の形態に係る表示システムのタッチパネルの座標例である。
【図６】第１の実施の形態に係る表示システムのフローチャートである。
【図７】第２の実施の形態に係る表示システムのフローチャートである。
【符号の説明】
【００４１】
１１  バス
１２  システム制御部
１３  音発生部
１４  入力装置処理部
１７  スイッチ
２０  表示発生部
２１  分割対面処理部
２２  表示装置
２３  タッチパネル制御部
２４  タッチパネル
【図１】
2005208992.tif 000003
【図２】
2005208992.tif 000004
【図３】
2005208992.tif 000005
【図４】
2005208992.tif 000006
【図５】
2005208992.tif 000007
【図６】
2005208992.tif 000008
【図７】
2005208992.tif 000009